(57)【要約】【課題】ウエストサイズの変動にもかかわらず衣服を快適に着用可能にするための、縦方向に変形せず、周方向の長さが変化出来る衣服用ウエストバンド。【解決手段】ウエストバンドの表地の織目が、ウエストバンドの上部エッジに対してある角度を形成するように裁断され、ウエストバンドの芯地の織目が、ウエストバンドの表地の織目と略直角の角度をなすように裁断されることにより、縦方向の非変形性を保ちながら、ウエストバンドが周方向に伸張する事が可能になる。【選択図】　図１
2004100130.tif 000002
【特許請求の範囲】
【請求項１】
衣服用ウエストバンドであって、
縦糸および略直角の横糸を有し、前記縦糸が前記ウエストバンドの上部エッジに対して一定の角度で延長するように裁断された外側周方向布パネルと、
縦糸および略直角の横糸を有し、前記縦糸が前記ウエストバンドの上部エッジに対して一定の角度で延長するように裁断された内側周方向布パネルとを備え、
前記外側周方向布パネルおよび前記内側周方向布パネルが、前記ウエストバンドの前記上部エッジを画定する正中線に沿って折り返された単一の布材を備え、
前記外側周方向パネルの前記縦糸が、前記内側周方向パネルの前記折り返された部分の前記縦糸に対して、一定の角度で延長することを特徴とする、衣服用ウエストバンド。
【請求項２】
前記外側周方向パネルの前記縦糸が、前記内側周方向パネルの前記折り返された部分の前記縦糸に対して、約９０度の前記一定の角度で延長することを特徴とする、請求項１に記載の衣服用ウエストバンド。
【請求項３】
前記衣服ウエストバンドが、前記折り返された単一の布材の内側部と同一平面状に広がる縦糸および横糸を有する芯地を更に備え、前記芯地が、前記ウエストバンドの上部エッジに対して、前記縦糸が一定の角度で延長するように裁断される、請求項１に記載の衣服用ウエストバンド。
【請求項４】
前記衣服ウエストバンドが、前記折り返された単一の布材の内側部と同一平面状に広がる縦糸および横糸を有する芯地を更に備え、前記ウエストバンドの上部エッジに対して、前記縦糸が一定の角度で延長するように前記芯地が裁断される、請求項２に記載の衣服用ウエストバンド。
【請求項５】
前記芯地の前記縦糸が、前記内側周方向パネルの前記縦糸または前記外側周方向パネルの前記縦糸のいずれかに対して、約９０度の前記一定の角度で延長することを特徴とする、請求項４に記載の衣服用ウエストバンド。
【請求項６】
衣服用ウエストバンドであって、
前記衣類の材料を含み、縦糸および略垂直の横糸を有し、前記縦糸が前記ウエストバンドの上部エッジに対して一定の角度で延長するように裁断された、外側周方向布パネルと、
縦糸および略直角の横糸を有し、前記縦糸が前記ウエストバンドの上部エッジに対して一定の角度で延長するように裁断された内側周方向布パネルと、
縦糸と横糸を有する布を含み、前記縦糸が前期ウエストバンドの上部エッジに対して一定の角度で延長するように裁断された、少なくとも１個の芯地パネルを備え、
前記ウエストバンドに伝達された周方向の張力によって、ウエストバンドの構造の縦方向非変形性を維持すると同時に、前記ウエストバンドが伸張することを可能にすることを特徴とする、衣服用ウエストバンド。
【請求項７】
前記ウエストバンドの縦方向非変形性を、前記衣服用ウエストバンドの周方向への伸張性と同時に提供するために、縦糸と横糸を含む前記少なくとも１個の芯地パネルが、前記外側周方向布パネルと前記内側周方向布パネルの間に配置され、前記芯地パネルの外側面が、前記外側周方向布パネルの内側面および前記内側周方向布パネルの内側面と、隣接している外側接触点において接着される事を特徴とする、請求項６に記載の衣服用ウエストバンド。
【請求項８】
前記少なくとも１個の芯地パネルが、
前記ウエストバンドの前記外側周方向布パネルと略同一平面状に延長した第１周方向パネルと、
前記ウエストバンドの前記内側周方向布パネルと略同一平面状に延長した第２周方向パネルと
を備える事を特徴とする、請求項７に記載の衣服用ウエストバンド。
【請求項９】
前記ウエストバンドの縦方向非変形性を、前記衣服用ウエストバンドの周方向への伸張性と同時に提供するために、縦糸と横糸を含む前記少なくとも１個の芯地パネルが、前記外側周方向布パネルと前記内側周方向布パネルの間に配置され、前記芯地パネルの外側面が、前記外側周方向布パネルの内側面および前記内側周方向布パネルの内側面と、隣接している外側接触点において接着される事を特徴とする、請求項８に記載の衣服用ウエストバンド。
【請求項１０】
前記少なくとも１個の芯地パネルが、材料の単一の布の層を備え、
前期少なくとも１個の芯地パネルが、前記外側周方向布パネルおよび前記内側周方向布パネルの少なくともいずれかひとつよりも横断方向の堅牢性が高いことを特徴とする、請求項６に記載の衣服用ウエストバンド。
【請求項１１】
前記外側周方向布パネルの前記縦糸および前記内側周方向布パネルの前記縦糸は、前記衣服用ウエストバンドに加えられる周方向の張力の無い弛緩した状態において略平行であり、前記少なくとも１個の芯地パネルの前記縦糸が、前記外側および内側布パネルの縦糸に対して略直角の角度で延長していることを特徴とする、請求項６に記載の衣服用ウエストバンド。
【請求項１２】
前記芯地の前記第１周方向パネルが、前記ウエストバンドの前記外側周方向布パネルの縦糸に対して略直角方向に延長する縦糸を有し、前記芯地の前記第２周方向パネルが、前記ウエストバンドの前記内側周方向布パネルの縦糸に対して略直角方向に延長する縦糸を有する事を特徴とする、請求項８に記載の衣服用ウエストバンド。
【請求項１３】
前記少なくとも１個の芯地パネルの前記第１周方向パネルが、接触点において前記外側周方向布パネルの内側面に接着され、前記少なくとも１個の芯地パネルの前記第２周方向パネルが、接触点において前記内側周方向布パネルの内側面に接着されることを特徴とする、請求項１２に記載の衣服用ウエストバンド。
【請求項１４】
前記衣服用ウエストバンドと衣服本体が、縫目を形成する縫合によって接合され、引張力が前記衣服用ウエストバンドに加えられた際、前記縫合によって、前記縫目が伸張する事を可能にすることを特徴とする、請求項６に記載の衣服用ウエストバンド。
【請求項１５】
ウエストバンドに含まれる前記少なくとも１個の芯地と、前記外側周方向布パネルと、前記内側周方向布パネルが縦糸と横糸を有し、前記縦糸および前記横糸が、前記衣服用ウエストバンドのエッジに対して約１５度から約８５度までの間の角度で延長するように、ウエストバンドに含まれる前記少なくとも１個の芯地と、前記外側周方向布パネルと、前記内側周方向布パネルがバイアス裁断される事を特徴とする、請求項６に記載の衣服用ウエストバンド。
【請求項１６】
前記芯地と前期衣服用ウエストバンドの材料に含まれる前記縦糸および前記横糸を備える織糸が、前記ウエストバンドのエッジに対して約４５度の角度に延長することを特徴とする、請求項１５に記載の衣服用ウエストバンド。
【請求項１７】
前記芯地と前記ウエストバンドはそれぞれ上側および下側のエッジで、縫目を形成する縫合により接合され、引張力が前記衣服用ウエストバンドに加えられた場合、前記縫合により前記縫目が伸張する事が可能になることを特徴とする、請求項８に記載の衣服用ウエストバンド。
【請求項１８】
前記衣服用ウエストバンドと衣服本体が、縫目を形成する縫合によって接合され、引張力が前記衣服用ウエストバンドに加えられた際、前記縫合によって、前記縫目が伸張する事を可能にすることを特徴とする、請求項１２に記載の衣服用ウエストバンド。
【請求項１９】
前記少なくとも１個の芯地パネルの前記第１周方向パネルが、接触点において前記外側周方向布パネルの内側面に接着され、前記少なくとも１個の芯地パネルの前記第２周方向パネルが、接触点において前記内側周方向布パネルの内側面に接着されることを特徴とする、請求項１８に記載の衣服用ウエストバンド。
【発明の詳細な説明】
【０００１】
【発明の属する技術分野】
本発明は、ウエストバンドおよびそれを利用する衣服に関する。より詳細には、布の種類にかかわらず、縦方向に変形せず、着用者の機能性および快適性を向上するための、ウエストサイズの少々の変動を調整できるように設計されている、ズボン、スカート、その他の衣服用のウエストバンドに関する。
【０００２】
従来のズボンおよび衣料に使用される主題のウエストバンドは、縦方向に丸まることを防止すると同時に、５〜１０％伸張し、良好に原形へ復帰することが出来る。さらに、ウエストバンドの長さが可変的に伸張することによって、洗濯後の縮みを補償することが出来る。本ウエストバンドは、ズボンや、半ズボン、スカート等のウエストバンドを利用する他の衣服を、ボタン留めまたは固定することを容易にし、着用中の良好な着具合を維持する。
【０００３】
【従来の技術】
ウエスト周囲および股下丈の長さは、ズボンや、ウエストバンドを利用する他の衣服が一般に販売される際のサイズを表わす。現在、メーカーは、１〜２インチ毎のウエストサイズでズボンおよびウエストバンドを利用する他の衣服を製造する。ほとんどの利用者は、これらのサイズの中から適合する物を見つけることが出来るが、多くの異なるサイズの製品を製造し、かつ在庫を保持する必要がある。さらに、あるサイズの範囲中で、一般に男性用ズボンのサイズは２インチ毎に製造されるが、２つの製品サイズの間のサイズを有する利用者に対しては、衣服のサイズが合わないと言う問題を有する。さらに、時間とともに、人間のウエストサイズはわずかに変わり得、また、以前快適であったウエストサイズが窮屈になり、着心地が悪くなり得る。またさらに、長さの変わらない従来の衣服を着用する場合、ウエストバンドを固定する過程さえ不快になり得る。
【０００４】
過去に、伸縮可能なウエストバンドを備えたズボン、スカートおよびウエストバンドを利用する他の衣服が製造された。しかしながら、既知の衣服は、ウエストの周囲長さを伸張するために、通常異なる材料あるいは装置を必要とした。さらに、伸張能力を有する先行技術の衣服は通常、外見によって伸縮可能であることが容易に認識され、伸縮可能でないウエストバンドを備えた衣服と容易に区別がついてしまう。
【０００５】
先行技術特許中のいくつかのものは、ウエストバンドに伸縮自在の裏地を利用した。少なくとも１つの先行特許は、構造によってサイズを増減するウエストバンドを開示している。しかしながら、この装置の伸縮性は特別のウエストバンドの裏地によるものであり、その裏地は多数の弾性を有する撚糸を含んでいる。別の先行技術の方法は、伸縮自在のウエストバンドを作成するために伸縮性のバンド材を利用する。さらに、他の方法では、弾性を有する細長片がウエストバンド内部に使用されており、これはウエストバンドの強度を高め、しわの寄り、丸まり、よじれによる衣服の外見上の不体裁に対して対処していると評されている。
【０００６】
他の提案されている方法では、ウエストサイズの変化に適応するために、ウエストバンド中にスリットを入れることにより、衣服の他の部分と同じ布または材料で作成するることが出来る構造的拡張可能ウエストバンドが存在する。衣服の他の部分と同じ布または材料で作成するることが出来る拡張可能ウエストバンドの他の例は、ウエストバンドの相対する両端を接合するウエストバンドの伸張部と、衣服本体の相対する両辺を接合するカット部または折り返し部を備え、相対する端部を調節することによって、ウエストを細く、または太くする、というウエスト部の構造を開示している。
【０００７】
伸縮自在のウエストバンドに加えて、伸張可能なシャツカラーが公知である。シャツカラーの布はバイアス裁断され、着用者の首の周囲で伸張させることが可能である。しかしながら、このシャツカラーに関する発明は、ウエストバンドの構造における特定の事項に対処していない。特定の着用者のウエストサイズによりウエストバンドが丸まってしまうのを防ぐための縦方向の非変形性という、ウエストバンドに共有する問題点に対し、シャツカラーの構造は対処する必要はない。さらに、特定の着用者の首やシャツカラーのサイズは、ウエストサイズと比べてあまり大きくは変化しない。ウエストバンドは、シャツカラー以上に周方向に伸張することが出来なければならない。
【０００８】
従って、衣服の他の部分と同じ材料を備える布により作成され、かつスリット、折り返し、または弾性体を使用しないウエストバンドを用いることにより、ズボン、スカートおよび他の衣服用の伸張可能なウエストバンドを構成する簡単で妥当な手段が必要とされている。さらに、追加の生産工程を必要とせず、着用者またはウエストバンドを観察し得る第三者に対し顕著に異なる体裁を呈することなく、使用者のウエストサイズの変動を補償し、単一のウエストサイズとして製造された衣服が異なるウエストサイズを有する複数の人に適合することを可能にするために、ウエストバンドのサイズを伸縮可能にする必要がある。またさらに、着用時のウエストバンドの折り重なり、丸まりを防止する縦方向の非変形性を備える衣服用ウエストバンドの必要性がある。
【０００９】
【発明が解決しようとする課題】
本発明の総括的な目的は、前述した種類のウエストバンドの問題点および限界を除去または最小限にする新規の衣服用ウエストバンドを提供することである。
【００１０】
本発明の特定の目的は、衣服の外見を変えることなく、着用者のウエストに応じて伸張する能力を有する新規の衣服用ウエストバンドを提供することである。
【００１１】
本発明の更なる目的は、衣服着用時のウエストバンドの型崩れや丸まりを防止する縦方向の非変形性を保持しつつ、横方向に伸張する性能を有する新規の衣服用ウエストバンドを提供することである。
【００１２】
本発明の他の目的は、着用者の快適性を増加させる、伸張可能なウエストバンドを備えた衣服を提供する事である。
【００１３】
本発明の関連する目的は、衣服用ウエストバンドを着用者のウエストの周りに容易に固定することを可能にする、伸張可能なウエストバンドを備えた衣服を提供する事である。
【００１４】
本発明の他の目的は、着用者のウエストサイズの変動に適応しつつ、縦方向の非変形性を備え、利便性と耐久性の向上した衣服用ウエストバンドである。
【００１５】
【課題を解決するための手段】
本発明は、利用者のウエストサイズの変動に適応するウエストバンドを製造するための手段を提供する。これによって、より快適な着心地が得られる。本発明により、メーカーは、製造・ストックするサイズ種類を少なくし、追加の製造工程を必要とせず、それでいて、顧客にとって通常の製品との外見上の区別がつかないような製品を提供することが出来る。本発明は、ウエストバンドが丸まるのを防ぐ縦方向のしっかりとした構造を備えつつ、ウエストバンドが周方向に伸張する事を可能にする。さらに、衣服の購入の後に着用者のウエストサイズが変わった際にも、ズボン、スカートあるいは他の衣服の着心地を快適なまま保つ。
【００１６】
前述の手段は、特別に構成されたウエストバンドの布および芯地を備える事により達成される。より詳細には、ウエストバンドの外側、即ちウエストバンドの表地は、ズボンやスカートと同じ布で作られており、ウエストバンドの内部分は芯地によって作られている。ウエストバンドの表地および芯地の両方を含むウエストバンド材は、布の縦糸が、ウエストバンドの上部エッジに対してある角度を持って延長するように裁断される。ウエストバンドの表地の縦糸は、ウエストバンドの上部エッジに対して約４５度の角度で延長するのが望ましい。芯地の縦糸は、表地の縦糸と約９０度の角度を形成するように、ウエストバンドの上部エッジに対して、表地の縦糸とは反対方向に約４５度の角度で延長するのが望ましい。この配置によって、ウエストバンドの長さ方向に引張力が加わった場合、着用中のウエストバンドの望まれない縦方向のしわや丸まりを防止するための縦方向の非変形性を保持しつつ、ウエストバンドの表地と芯地は、略正方形状から平行四辺形状に拡張してウエストバンドを効果的に伸張させる。
【００１７】
本発明に従って製造されたウエストバンドを用いたズボンや他の衣服は、従来生産されてきたズボンや他の衣服以上に製造コストがかからず、製造工程上の調整の必要もほとんどない。布を裁断する際に、ウエストバンドと芯地を形成する材料を、縦糸がバイアスになるように配置するのみでよい。本発明におけるウエストバンドを利用するズボンあるいは他の衣服を製造する場合、従来の方法で作られた衣服と同等以上の製造コストがかかる事はないであろう。さらに、ウエストバンドを形成する材料を、縦糸が希望のバイアスになるように配置するだけであるので、本発明は製造工程を実質的に変更する必要がない。
【００１８】
更に、本発明によるウエストバンドを利用するズボン、スカート、および他の衣服を製造する場合、もし望まれれば、メーカーは製造するサイズの種類を減少させる事が可能であり、従って在庫を減少させる事が出来る。例えば、１インチ毎のサイズ増分でズボンを製造するメーカーは、サイズ増分を２インチ毎（例えば３２−３３、３４−３５、３６−３７など）にすることで、生産を効率化できる。あるいは、このウエストバンドが、着用者に単により快適な着心地を提供する目的のみに使用される場合は、製造するサイズの種類を減少しなくてもよい。
【００１９】
本発明の更なる目的と効果は、実施形態の説明と図面を参照にして、更に詳細に説明される。
【００２０】
【発明の実施の形態】
図面と本発明の特定の実施例により、本発明におけるウエストバンドの効果を説明する。図１および図２はそれぞれ、伸長可能なウエストバンドを利用する衣服の正面図および背面図である。より具体的には、図１はズボンの正面図であり、図２はスカートの背面図である。しかしながら、半ズボン、ワンピースおよびスラックスのような、着用者のウエストの周囲に着用する他の衣服に対して、ウエストバンド１００を利用してもよい。ウエストバンド１００は、外部側面１０４および内部側面１０６を備える。衣服１０２の本体は、ウエストバンド１００に取り付けられる。また、着用者のウエスト周囲にウエストバンドを固定するために一般に用いられている締付装置、または他の装置によって、ウエストバンド１００は、着用者のウエスト周囲に衣類を固定する。
【００２１】
本発明は、ウエストサイズにおける変動に適応する能力に関して、ウエストバンドを利用する従来の衣服と著しく異なる。しかし、本発明における衣服用ウエストバンドの外見は、従来の衣服の外見と比較して区別がつきにくい。さらに、本発明は、本ウエストバンドを利用するズボンおよび他の衣服の製造・ストックするサイズ種類を減少させ、着用者のウエストサイズがわずかに変わった場合、また洗濯されたときに万一衣服が縮んだ場合でも、快適な着心地が持続する事を保証する。上記の特長に加えて、本ウエストバンドは、縦方向の非変形性を有し、先行技術中の一部のウエストバンド構造における共通の問題点である、ウエストバンドの型崩れや丸まりを防止する。
【００２２】
本発明は、ウエストバンドを構成する布あるいは他の材料の織目が、衣服ウエストバンドの上部エッジに対してある角度をもって配置されることにより、これらの効果を達成する。ウエストバンドの材料を形成する織糸は、縦軸方向、即ちウエストの周方向に対して、ある角度を形成するように延長する。ウエストバンドの材料または布が、ウエストバンドの上部エッジに対してある角度を持って配置された場合、縦軸方向、即ちウエストの周方向に力が加えられた時に容易に伸張することが出来る。さらに、織目がウエストバンドの縦軸に対して、約１５度から約８５度までの角度で裁断される場合に伸張性が得られる。織目を、上部エッジに対して上記の角度をもって配置させることによって、力が加えられた時、ウエストバンドのウエストサイズが５〜１０パーセント周方向に伸張することを可能にし、さらに伸張状態から原形まで良好に復元する。本発明は、弾性体、スリット、追加の折り目、また、織目の配向と言う範囲を逸脱し、従来の衣類の構成と異なっている他のいかなる装置や構成にも依存しない。
【００２３】
図３は、本実施形態における衣類用ウエストバンドが衣類本体と結合される部分をウエストバンドの内側から眺めた斜視断面図である。衣服用ウエストバンド３００のこの部分は本ウエストバンドの構成を示す。折り返し布材３０２は、ウエストバンドの最も目に付きやすい布の連続体であり、実質的にウエストバンドの形状を決定づける。折り返し布材３０２は、外側周囲方向布パネル３１８および内側周方向布パネル３２０を備える。外側周囲方向布パネル３１８は、ウエストバンド３００の外側の下部分で、下向きの折り目がつけられる。内側周方向布パネル３２０は、ウエストバンドの内側の下側エッジ上の内側ウエストバンド縁部３０８によって包含される。縫合３１０は、ウエストバンド３００の上部エッジ３１６を形成し、ウエストバンドの内側と外側の両側で、折り返し布材３０２および芯地３０４を貫通して縫合することにより、ウエストバンドの内側と外側を分割し、外側周囲方向布パネル３１８と内側周方向布パネル３２０を分割する縁部を形成する。また、縫合３１０は、ウエストバンドが伸張する事を可能にする。
【００２４】
上記の実施例では折り返し布材３０２および芯地３０４の両方を貫通して縫合しているが、本発明はそれに限られない。他の実施例では、ウェストバンドの縁まで延びていない幅の狭い芯地を使用することで、縫合３１０は折り返し布材３０２のみを貫通して縫合していても良い。この場合には、芯地３０４はウェストバンドの内側に接着されて縦方向の安定性を確保し、スボンやスカートがずり落ちないようにする必要がある。
【００２５】
本発明の本実施形態において、折り返し布材３０２は、衣服本体３０６と同じ材料あるいは布で作られてもよい。また、図４（ａ）によって示されるように、織糸が上部エッジ３１６に対してある角度を持って延長するように、折り返し布材３０２を構成する布の織目が配向される。よって、本発明のこれらの特長による衣服は、伸縮性と縦方向の安定性を備えながら、従来の衣服と同様の外見を呈する事が可能になる。
【００２６】
図４（図３の拡大図）は、織糸が上部エッジ３１６に対してある角度を持って延長するように配向された、折り返し布材３０２の織目の詳細図である。縦糸４０２はより直線的で、より高い張力の織糸である。横糸４００は縦糸４０２に比べてより弛緩しており、伸縮性がある。また、連続シルケット加工およびテンター加工の間以外は、横糸４００上に通常張力は発生しない。
【００２７】
スラックス、ズボン、半ズボン、スカート等に供される衣服用ウエストバンドの従来の構成は、ウエストバンドの上部エッジ方向、即ちウエストの周方向に対して、織目が垂直および平行になるように配向されている。換言すれば、ウエストバンドの布または材料の織目は、縦軸、即ちウエストバンドの周方向に対して通常直交する。より具体的には、ウエストバンドの周方向に対して、縦糸または横糸が、平行および垂直になるように裁断される。ウエストバンドの布がこのように配向される場合、布の伸張ほとんどは起こらない。
【００２８】
ウエストバンドの芯地３０４は、折り返し布材３０２の内部に隣接する。芯地３０４は、融着布であってもよいし、融着布でなくてもよい。しかし、外側周方向辺の布パネル３１８が、ウエストバンド３００の外側に下向きの折り目がつけられるのとは違い、芯地３０４は折り目がつけられない。ウエストバンドの芯地３０４は、ウエストバンド３００の支持物として利用され、よりなめらかな衣服の外見および非変形性をもたらす。
【００２９】
図４（ｂ）に示されるように（上述の図４（ａ）に関する記述を参照のこと）、ウエストバンド３００が着用者のウエストサイズの変動に適応することを可能にするため、ウエストバンドの芯地３０４の縦糸は、上部エッジ３１６に対してある角度を持って延長するように配向される。芯地３０４の角度は、上部エッジ３１６に対して、折り返し布材３０２の角度と同じである必要はない。通常は、芯地３０４は、折り返し布材３０２よりわずかに軽くて薄く、また一般的に、折り返し布材３０２とは異なる布または材料で作られている。芯地３０４は、折り返し布剤３０２と同じ布または材料で作られていてもよい。織目が上部エッジ３１６に対して同じ角度になるように配向した場合、種類の異なる布または材料は、通常異なった伸張性能を示す。さらに、最適の角度は、布の構造および希望する伸張の程度により異なる。したがって、折り返し布材３０２および芯地３０４が、異なる布あるいは材料で作られている場合、最大限の伸張性および縦方向の非変形性を持たせるために、折り返し布材３０２および芯地３０４の織目が異なる角度を有することが時には有益であり得る。
【００３０】
布の織目がウエストバンドの上部エッジに対してある角度を持って延長する場合、伸縮性の無い織糸に力を加えても布はほとんど伸張しないが、上記の場合と異なった角度をもって延長した場合、力が加えられた際に布の構造は変形し、ウエストバンドが伸張する事を可能にする。しかしながら、折り返し布材または芯地のいずれかの角度およびその角度による伸張性は、ウエストバンド中の伸張量を制限することができる。例えば、芯地の織目がウエストバンドの上部エッジに対して４５度の角度で延長するように配向された時に芯地は最大の伸張性を備え、その伸張性が、折り返し布材をどのような角度に配向した時の伸張性よりも大きい場合、折り返し布材の伸張性が、全ウエストバンドの伸張性を決定する。
【００３１】
織目が上部エッジ３１６に対してある角度で延長するように配向されている衣服用ウエストバンド３００は、内側ウエストバンド縁部３０８を備える。ウエストバンドの内側において、内側ウエストバンド縁部３０８は、ウエストバンドの内側周方向布パネル３２０およびウエストバンド芯地３０４の下側部分を包含する。内側ウエストバンド縁部３０８は、ウエストバンドの内側において、芯地３０４と内側周方向布パネル３２０を貫通して縫合する縫合３１４により相対する端部と接続される。さらに、縫合３１４はウエストバンド３００の伸張を可能にする。内部ウエストバンド縁部３０８は、内側周方向布パネル３２０および芯地３０４がほつれて分離されるようになるのを防ぐ。
【００３２】
折り返し布材３０２および芯地３０４は、縫合３１２により衣服本体３０６に結合されており、縫合３１２は、内側周方向布パネル３２０および外側周方向布パネル３１８の両方を含む折り返し布材３０２、芯地３０４および衣服本体３０６を貫通して縫合している。さらに、縫合３１２によって、外側周方向布パネル３１８は下側に折り目がつけられ、ウエストバンドが伸張することを可能にする。
【００３３】
図５（図３の断面の拡大図）は、ウエストバンド芯地３０４と折り返し布材３０２の関係を示す。本発明の実施形態において、芯地３０４は接着剤５００によって、折り返し布材３０２の裏側へ接着される。ウエストバンドの外側の布と芯地を接着するために、高密度および低密度ポリエチレン、ポリアミドおよびポリエステル等から選択される様々なタイプの接着剤が使用し得る。接着剤５００は、特定の接点でのみ折り返し布材３０２および芯地３０４を接着し、力が加えられた際に、芯地と折り返し布材の両方が変形する事を可能にする。あるいは、折り返し布材３０２および芯地３０４は接着剤により接着されなくてもよい。ウエストバンド構造を全体にわたって縫製することにより、芯地３０４と折り返し布材３０２は、それらの相対的位置を維持することができる。
【００３４】
本発明によるウエストバンドは、布か材料によっては、ウエストサイズを５〜１０パーセント増加させることができる。これにより、製造・ストックするサイズの種類を減少させ、衣服の着心地をより快適にし、ボタン留めをより容易にする。さらに本発明は、縦方向の非変形性を備え、型崩れや丸まりを防ぐ衣服用ウエストバンドを提供する。さらに、ウエストバンドのサイズは、おおよそのウエストのサイズに対比させたサイズ増分で製造することができる。さらに、衣服の外見が顕著に変化することなく、ウエストバンドの有効長さ、即ちウエストバンドの周囲長を増加させる事が出来る。
【００３５】
本発明の特定の実施形態がここに詳細に図示、説明されたが、添付の特許請求の範囲に定義される本発明の精神および意図から逸脱する事なしに、多くの変更および修正がなされ得ることを理解すべきである。
【００３６】
【発明の効果】
本発明の実施形態に従って、前述された衣服用ウエストバンドおよび製造方法についての詳細な記述を読み理解した後、いくつかの明確なる効果が達成されることが認識されるだろう。
【００３７】
以下、明確に開示されている、またはこの完全なる開示に内在している効果について、全てを詳述することを意図するものではない。衣服ウエストバンドの上部エッジに対してある角度で延長された縦糸を備えた材料を含むウエストバンドの構造は、力が加えられる時に、ウエストバンドが５〜１０パーセント伸張し、力が除かれると、物の状態に回復させる事を可能にする。さらに、ウエストバンドの構造は、型崩れおよび丸まりを防いで、縦方向の非変形性を実現する。
【００３８】
さらに、布で衣服ウエストバンドを構成することによって、弾性体、折り目、スリット、または伸張性を確保するためのウエストバンドの外見を変えてしまうような装置または構造の必要性が無く、従来の衣服と比較した際ほとんど外見上の区別がつかないウエストバンドを提供する。
【００３９】
前項で示唆された問題点、限界点および要求点は、網羅的であることを意図するものではなく、むしろ、衣服用ウエストバンドに関する先行技術の装置が、相当な改良の余地を残していることを実証する多数の例の中の一部である。
【図面の簡単な説明】
【図１】本発明における伸張可能なウエストバンドを利用したズボンの正面図である（ウエストバンドは縦糸の角度の配向を示すために強調されており、実際の商品上は目に見えない）。
【図２】本発明におけるウエストバンドを利用したスカートの背面図である。
【図３】本発明におけるウエストバンドが衣類本体と結合される部分の斜視断面図である。
【図４】（ａ）は、ウエストバンドの上部エッジに対してある角度を形成するように裁断されたウエストバンドの表地を示した、図３の部分拡大図であり、（ｂ）は、ウエストバンドの表地の縦糸と芯地の縦糸が約９０度の角度を形成するように裁断された、ウエストバンドの芯地を示した、図３の部分拡大図である。
【図５】布の縦糸の配向およびウエストバンドの表地と芯地の関係を示した、図３のエッジ部分の詳細図である。
【符号の説明】
１００　ウエストバンド
１０２　衣服
１０４　外部側面
１０６　内部側面
３００　ウエストバンド
３０２　折り返し布材
３０４　芯地
３０６　衣服本体
３０８　内側ウエストバンド縁部
３１０　縫合
３１２　縫合
３１４　縫合
３１６　上部エッジ
３１８　外側周囲方向布パネル
３２０　内側周囲方向布パネル
４００　横糸
４０２　縦糸
５００　接着剤
【図１】
2004100130.tif 000003
【図２】
2004100130.tif 000004
【図３】
2004100130.tif 000005
【図４】
2004100130.tif 000006
【図５】
2004100130.tif 000007